(57)【要約】【課題】外装材の断面欠損を防いで、外装材の落下を防止できる外装材の支持金物を提供すること。【解決手段】外装材の支持金物２０は、上下に配置された一対の外壁タイル１０を建物２の躯体壁面３０から支持する。この外装材の支持金物２０は、躯体壁面３０に沿って設けられて躯体壁面３０にボルト３３で固定される板状の基部２１と、基部２１の下端部から略水平に延びる板状の延出部２２と、延出部２２の先端から上方に向かって略鉛直に延びて上側の外壁タイル１０の下端部に係合する下部係合部２３と、延出部２２の先端から下方に向かって略鉛直に延びて下側の外壁タイル１０の上端部に係合する上部係合部２４と、を備える。【選択図】図３
2016151111.tif 000002
【特許請求の範囲】
【請求項１】
上下に配置された一対の外装材を建物の躯体壁面から支持する、外装材の支持金物であって、
前記躯体壁面に沿って設けられて当該躯体壁面にボルトで固定される板状の基部と、
当該基部の下端部から略水平に延びる板状の延出部と、
当該延出部の先端から上方に向かって略鉛直に延びて前記上側の外装材の下端部に係合する下部係合部と、
当該延出部の先端から下方に向かって略鉛直に延びて前記下側の外装材の上端部に係合する上部係合部と、を備えることを特徴とする外装材の支持金物。
【請求項２】
前記基部の下端縁には、上方に向かって延びて前記ボルトが挿通される長孔が形成されており、
前記下部係合部と前記上部係合部は、前記長孔を挟んだ両側に配置されることを特徴とする請求項１に記載の外装材の支持金物。
【請求項３】
請求項１または２に記載の外装材の支持金物を用いた外装材の支持構造であって、
前記外装材は、前記外装材の支持金物の上部係合部および下部係合部で支持され、
前記躯体壁面には、ボルトが取り付けられ、
前記外装材の支持金物の基部は、当該ボルトを介して前記躯体壁面に支持されることを特徴とする外装材の支持構造。
【請求項４】
前記外装材は、タイルまたは板状の石材であり、前記躯体壁面に接着材で貼り付けられており、
当該接着材は、前記外装材の裏面に、前記外装材の支持金物の両側縁および上端縁に沿って塗布されるとともに、上下方向に延びてかつ水平方向に略所定間隔おきに塗布されることを特徴とする請求項３に記載の外装材の支持構造。
【発明の詳細な説明】
【技術分野】
【０００１】
本発明は、例えば、大型の外壁タイルを支持する支持金物およびその外壁タイルの支持構造に関する。
【背景技術】
【０００２】
従来より、６００ｍｍ×３００ｍｍ程度の大型の外壁タイルは、取付部材を介して建物の躯体壁面に取り付けることが行われている（特許文献１参照）。
ところで、外壁タイルや石が貼られたプレキャストコンクリート版（以下、ＰＣ版と呼ぶ）、軽量気泡コンクリート版（以下、ＡＬＣ版と呼ぶ）、あるいは金属製ガラス壁（以下、金属カーテンウォールと呼ぶ）は、各コンクリート版やガラス壁の重量が大きく、かつ高さも建物の１層分程度である。よって、日本建築学会の設計規準類では、これらＰＣ版、ＡＬＣ版、および金属カーテンウォールは非構造部材と定義され、大地震時に破壊や落下等を防止できる構造とする必要がある。そのため、このよううな非構造部材については、非構造部材側または建物躯体側に設ける特殊な支持金物（ファスナー）が多数開発され、採用されてきた。
【０００３】
しかしながら、外壁タイルは、ＰＣ版と比べて軽量かつ小サイズであるので、予め工場にてＰＣ版に打ち込んで先付けタイルＰＣ版（特許文献１参照）としたり、建設現場において建物躯体に張り付けたりしていた。
例えば、特許文献２に記載の大型タイルの取付構造は、大型タイルの背面側（支持プレート）、および躯体壁面側（接続プレート）にそれぞれの支持金物がボルトを介して取り付けられ、双方の支持金物同士は、大型タイルの背面と躯体壁面との隙間にて、ボルトとナットで締結されている。
【先行技術文献】
【特許文献】
【０００４】
【特許文献１】特開２０１４−１３３６８４号公報
【特許文献２】特開平６−２６４５９４号公報
【発明の概要】
【発明が解決しようとする課題】
【０００５】
しかしながら、以上のような大型タイルの取付構造では、以下のような課題があった。
大型タイルの背面側には、定着金具を介して支持プレートを取り付ける必要があるので、タイルには定着金具を締結するための孔部が設けられる。よって、大型タイルの孔部が設けられた部分は、タイル厚さが他部位より薄くなり、脆弱であった。
【０００６】
本発明は、外装材の断面欠損を防いで、外装材の落下を防止できる外装材の支持金物および外装材の支持構造を提供することを目的とする。
【課題を解決するための手段】
【０００７】
本発明者らは、外装材の支持構造として、外装材自体にボルト等を介して支持金物を取り付けるのではなく、躯体壁面のみに外装材の支持金物をボルト等で固定し、この支持金物によって外装材を支持させることで、外装材と躯体壁面の隙間を小さくし、外装材に作用する偏心モーメント量を小さくするとともに、隙間部分への雨水の侵入を低減させる外装材の支持構造を発明するに至った。
また、外装材と躯体壁面の間には接着材を塗布し、外装材を躯体壁面に貼り付けるとともに、隙間部分への雨水の侵入を防止した。
【０００８】
第一の発明の外装材の支持金物（例えば、後述の外装材の支持金物２０）は、上下に配置された一対の外装材（例えば、後述の外壁タイル１０）を建物の躯体壁面（例えば、後述の躯体壁面３０）から支持する外装材の支持金物であって、前記躯体壁面に沿って設けられて当該躯体壁面にボルト（例えば、後述のボルト３３）で固定される板状の基部（例えば、後述の基部２１）と、当該基部の下端部から略水平に延びる板状の延出部（例えば、後述の延出部２２）と、当該延出部の先端から上方に向かって略鉛直に延びて前記上側の外装材の下端部に係合する下部係合部（例えば、後述の下部係合部２３）と、当該延出部の先端から下方に向かって略鉛直に延びて前記下側の外装材の上端部に係合する上部係合部（例えば、後述の上部係合部２４）と、を備えることを特徴とする。
【０００９】
この発明によれば、従来のように、外装材側と躯体壁面側にそれぞれ支持金物を取り付け、外装材と躯体壁面との間において支持金物同士をボルトで締め付けることはしない。本発明では、外装材自体に孔部等を設けることなく、躯体壁面側のみに設けた単一の支持金物によって支持させる。よって、外装材自体には、断面欠損による脆弱部は存在しなくなり、外装材の落下を防止できる。
また、外装材の支持金物の下端縁に下部係合部および上部係合部を設けたので、上下に配置された一対の外装材を１つの支持金物で支持できる。
また、上下に配置された一対の外装材は、外装材の支持金物に形成された上部係合部と下部係合部で同時に支持されるので、外装材を連続的に支持できる。
【００１０】
第二の発明の外装材の支持金物は、前記基部の下端縁には、上方に向かって延びて前記ボルトが挿通される長孔（例えば、後述の長孔２５）が形成されており、前記下部係合部と前記上部係合部は、前記長孔を挟んだ両側に配置されることを特徴とする。
【００１１】
この発明によれば、第一の発明の効果に加えて、外装材の支持金物を構成する基部にボルトを挿通させる長孔（高さ調整手段）を設けたので、外装材の支持金物を躯体壁面の所定位置に取り付けることができる。
【００１２】
第三の発明の外装材の支持構造は、前記外装材の支持金物を用いた外装材の支持構造であって、前記外装材は、前記外装材の支持金物の上部係合部および下部係合部で支持され、前記躯体壁面には、ボルトが取り付けられ、前記外装材の支持金物の基部は、当該ボルトを介して前記躯体壁面に支持されることを特徴とする。
【００１３】
従来では、大型タイルの背面と躯体壁面との間には、大型タイル側と躯体壁面側の支持金物同士をボルト締結するための金具等が挿入可能な程度の隙間を確保するので、躯体壁面よりかなり外側に大型タイルが配置されることになる。よって、大型タイル自体には、通常は自重のみが作用しているものの、地震荷重や強風が加わった際には、一時的に大きな偏心モーメントが発生することになる。そこで、この偏心モーメントに抵抗させるために、支持金物の厚みやサイズを大型化したり、タイル側の定着金具や躯体壁面側に埋設させるボルトの本数を増やしたりする必要があった。
【００１４】
そこで、この発明によれば、上述の効果に加えて、外装材を躯体壁面に取り付けた単一の支持金物のみで支持させることで、外装材と躯体壁面との間に、ボルト締結するための金具等が挿入可能な程度の隙間幅が必要なくなり、外装材に作用する偏心モーメント量を低減できる。
また、偏心モーメント量が小さくなることで、支持金物の小型化を実現できるうえに、外装材の支持金物を躯体壁面に取り付けるボルトの小径化や本数を削減できる。
また、外装材の支持構造は、従来の取付部材（特許文献１参照）のように、２つのプレートをボルトで接合する構成ではないから、施工工程を省略でき、工期を短縮できる。
【００１５】
第四の発明の外装材の支持構造は、前記外装材は、タイルまたは板状の石材であり、前記躯体壁面に接着材（例えば、後述の接着材１２）で貼り付けられており、当該接着材は、前記外装材の裏面に、前記外装材の支持金物の両側縁および上端縁に沿って塗布されるとともに、上下方向に延びてかつ水平方向に略所定間隔おきに塗布されることを特徴とする。
【００１６】
この発明によれば、上述の効果に加えて、外装材を支持金物で支持するだけでなく、躯体壁面に接着材で貼り付けたので、外装材を躯体壁面に強固に取り付けることができる。また、接着材を、外装材の裏面に、躯体壁面に取り付けられる外装材の支持金物の両側縁および上端縁に沿うようにコの字形状に塗布するとともに、上下方向に延びてかつ水平方向に略所定間隔おきに塗布したので、タイルを貼り付けた際の接着材の厚みを均一にできる。
【００１７】
また、従来では、大型タイルの背面と躯体壁面との間には、ボルトを締め付け出来る程度の隙間が設けられているが、この隙間から雨水が入り込み、支持金物やボルトに錆が発生し、その結果、金属部分が浸食されて断面積が減ってしまい、タイルの取付強度が低下するおそれがあった。
そこで、この発明によれば、支持金物の外周に沿って、コの字形状をなすように接着材を塗布して外装材と躯体壁面と間の隙間を塞いだので、雨水が支持金物およびボルトに接することはなく、錆の発生や浸食を防止できる。
【発明の効果】
【００１８】
上述したように本発明によれば、外装材自体に孔部等の欠損部を設けることなく、躯体壁面側のみに単一の支持金物を取り付けて、上下に配置された一対の外装材を支持する。したがって、外装材自体に断面欠損による脆弱部が存在しなくなり、外装材の落下を防止できる。
【図面の簡単な説明】
【００１９】
【図１】本発明の一実施形態に係るタイルの支持構造の正面図である。
【図２】前記実施形態に係るタイルの支持構造の縦断面図である。
【図３】前記実施形態に係るタイルの支持構造を構成する外装材の支持金物の正面図および側面図である。
【図４】前記実施形態に係る外装材の支持金物の斜視図である。
【図５】前記実施形態に係るタイルの支持構造を構成する外壁タイルの裏面の構造を示す図である。
【発明を実施するための形態】
【００２０】
以下、本発明の一実施形態について、図面を参照しながら説明する。
図１は、本発明の一実施形態に係る外装材の支持構造１の正面図である。図２は、外装材の支持構造１の縦断面図である。なお、本実施形態では、外装材としてタイルを用いている。
【００２１】
外装材の支持構造１は、上下に配置された外壁タイル１０を、外装材の支持金物２０を介して建物２の躯体壁面３０から支持するものである。
具体的には、各外壁タイル１０は、下端縁の２箇所で外装材の支持金物２０に支持されるとともに、上端縁の２箇所でも上方に配置された別の外装材の支持金物２０にて支持される。
【００２２】
建物２の躯体は、例えば押出し成形セメント板３１で構成され、躯体壁面３０は、この押出し成形セメント板３１の外側の側面となっている。この押出し成形セメント板３１は、内部に水平方向に延びる空洞３２が複数形成されている。
【００２３】
図３は、外装材の支持金物２０の正面図および側面図である。図４は、外装材の支持金物２０の斜視図である。
外装材の支持金物２０は、この外装材の支持金物２０の上下に位置する一対の外壁タイル１０を支持するものである。この外装材の支持金物２０は、例えば厚さ２ｍｍの金属板（鋼板またはステンレス板）を折り曲げ加工して形成されており、基部２１、一対の延出部２２、下部係合部２３、および上部係合部２４を備える。
【００２４】
基部２１は、躯体壁面３０に沿って設けられた板状であり、この躯体壁面３０にボルト３３で固定される（図２参照）。このボルト３３は、鋼製またはステンレス製である。
基部２１は、例えば、幅８０ｍｍ、高さ８０ｍｍである。また、ボルト３３の中心軸は、例えば、外壁タイル１０の下端から８０ｍｍの高さに位置している。
【００２５】
基部２１の下端縁には、上方に向かって延びてボルト３３が挿通される長孔２５が形成されている。
一対の延出部２２は、基部２１の下端縁から外側に向かって略水平に延びる板状である。これら一対の延出部２２は、長孔２５を挟んで設けられている。
【００２６】
下部係合部２３は、一方の延出部２２の先端から上方に向かって略鉛直に延びて上側の外壁タイル１０の下端部に係合する。
上部係合部２４は、他方の延出部２２の先端から下方に向かって略鉛直に延びて下側の外壁タイル１０の上端部に係合する。
これにより、下部係合部２３と上部係合部２４とは、長孔２５を水平方向に挟んで配置されることになる。
【００２７】
図５は、外壁タイル１０の裏面の構造を示す図である。
外壁タイル１０は、例えば、６００ｍｍ×３００ｍｍの矩形板状のテラコッタタイル（素焼きタイル）である。外壁タイル１０の裏面には、水平方向に延びる溝１１が上下に所定間隔おきに形成されて、これにより、裏足として凹凸が形成されている。
【００２８】
外壁タイル１０は、躯体壁面３０に接着材１２で貼り付けられる。この接着材１２は、外装材の支持金物２０の両側縁および上端縁に沿って塗布される。
また、接着材１２は、上下方向に延びてかつ水平方向に略所定間隔おきに塗布される。具体的には、線状に塗布する接着材のひも状の部分（ビート）の高さは２５ｍｍ程度を確保して、１００ｍｍ以内の間隔で上下方向に塗布する。
また、接着材１２としてエポキシ樹脂系またはコンクリート用接着材を使用し、接着材の必要接着強度は、４ｋｇｆ/ｃｍ２程度とする。
【００２９】
外壁タイル１０の上端縁の表面側には、切欠き１３が形成されている。外装材の支持金物２０の上部係合部２４は、この外壁タイル１０の切欠き１３に係合する。
外壁タイル１０の下端縁の裏面側には、切欠き１４が形成され、さらにこの切欠き１４には、スリット１５が形成されている。外装材の支持金物２０の下部係合部２３は、この外壁タイル１０のスリット１５に係合する。
【００３０】
本実施形態によれば、以下のような効果がある。
（１）外壁タイル１０に孔部等を設けることなく、躯体壁面３０側のみに設けた単一の支持金物２０によって支持させる。よって、外壁タイル１０自体には、断面欠損による脆弱部は存在しなくなり、外壁タイル１０の落下を防止できる。
【００３１】
（２）外装材の支持金物２０を構成する基部２１にボルト３３を挿通させる長孔２５を設けたので、外装材の支持金物２０を躯体壁面３０の所定位置に取り付けることができる。
【００３２】
（３）外壁タイル１０を躯体壁面３０に取り付けた単一の支持金物２０のみで支持させることで、外壁タイル１０と躯体壁面３０との間の隙間を小さくできるから、地震荷重や風荷重によりタイル面に生じる偏心モーメント量を小さくできるとともに、外壁タイル１０と躯体壁面との固定度合いを向上できる。
【００３３】
（４）外装材の支持金物２０を、鋼板を折り曲げ加工して形成したので、従来の外装材の支持金物のように、２つのプレートをボルトで接合する構成ではないから、施工工程を省略でき、工期を短縮できる。
また、外壁タイル１０の躯体壁面３０からの支持構造は、外装材の支持金物２０とボルトであり、外壁タイルおよび躯体壁面のそれぞれにプレートを取り付けて、各プレート同士をボルト締結する従来技術よりも、使用する部材点数を低減できる。
【００３４】
（５）外壁タイル１０を外装材の支持金物２０で支持するだけでなく、躯体壁面３０に接着材１２で貼り付けたので、外壁タイル１０を躯体壁面３０に強固に取り付けることができる。
また、外壁タイル１０の裏面には溝１１があり、この溝１１に交差する方向に接着材１２を塗布したので、外壁タイル１０と躯体壁面３０との接着度合いを高めることができる。
【００３５】
（６）接着材１２を、上下方向に延びてかつ水平方向に略所定間隔おきに塗布したので、外壁タイル１０を貼り付けた際の接着材１２の厚みを均一にできる。外壁タイル１０と躯体壁面３０との隙間は、接着材１２が横方向に均一に拡がって両部材１０、３０同士を接着するため、雨水がこの隙間に侵入するのを防止できる。
また、外壁タイル１０を下端縁の２箇所を外装材の支持金物２０で支持したので、外装材の支持金物２０により外壁タイル１０を安定して支持できる。
【００３６】
なお、本発明の実施形態では、外壁タイル１０と支持金物２０との支持構造１について記載したが、外装材は外壁タイルに限定するものではなく、軽量気泡コンクリート版（ＡＬＣ版）や、外装用の板状の石材でもよく、本発明の目的を達成できる範囲での変形、改良等は本発明に含まれるものである。
【符号の説明】
【００３７】
１…外装材の支持構造
２…建物
１０…外壁タイル（外装材）
１１…溝
１２…接着材
１３、１４…切欠き
１５…スリット
２０…外装材の支持金物
２１…基部
２２…延出部
２３…下部係合部
２４…上部係合部
２５…長孔
３０…躯体壁面
３１…成形セメント板
３２…空洞
３３…ボルト
【図１】
2016151111.tif 000003
【図２】
2016151111.tif 000004
【図３】
2016151111.tif 000005
【図４】
2016151111.tif 000006
【図５】
2016151111.tif 000007